(57)【要約】【課題】  遮音性の高い浮き床層の施工の際に大幅なコストダウンと工期削減を実現可能な浮き床工法及び浮き床構造を提供する。【解決手段】  この浮き床工法は、デッキプレートが防振効果のある複数個の支柱１３を介してフルＰＣａ板１１の上方に配置された状態でデッキプレートの外縁部にコンクリート止め部３５を設置してから、デッキプレート上にコンクリートまたはモルタルを打設することで合成スラブによる浮き床層を形成する。【選択図】  図３
2006291547.tif 000002
【特許請求の範囲】
【請求項１】
デッキプレートが防振効果のある複数個の支柱を介して鉄筋コンクリートスラブ面の上方に配置された状態で前記デッキプレートの外縁部にコンクリート止め部を設置してから、前記デッキプレート上にコンクリートまたはモルタルを打設することで合成スラブによる浮き床層を形成することを特徴とする浮き床工法。
【請求項２】
前記複数個の支柱が取り付けられたデッキプレートを前記鉄筋コンクリートスラブ面の上方に配置する請求項１に記載の浮き床工法。
【請求項３】
前記鉄筋コンクリートスラブをフルＰＣａ板により設置する請求項１または２に記載の浮き床工法。
【請求項４】
前記デッキプレートが上面において凸状である山部と凹状である谷部とによる波形状を有し、
前記支柱が前記デッキプレートの下面において前記山部に位置するように配置される請求項１，２または３に記載の浮き床工法。
【請求項５】
前記フルＰＣａ板を複数枚設置したときの前記フルＰＣａ板のジョイント位置と、前記合成スラブを複数枚設置したときの前記合成スラブのジョイント位置と、を上下で略同一位置にする請求項３に記載の浮き床工法。
【請求項６】
前記フルＰＣａ板のジョイント位置でコンクリートの打設を完了した後に、前記合成スラブのジョイント位置にジョイント用プレートを設置してから前記デッキプレート上でのコンクリートまたはモルタルの打設を行う請求項５に記載の浮き床工法。
【請求項７】
大梁における戸境壁用の型枠及び外壁形成用の型枠の少なくとも一方が前記鉄筋コンクリートスラブ側から持ち出しで形成され、前記浮き床の構築後に、前記型枠により上部躯体工事を行う請求項１乃至６のいずれか１項に記載の浮き床工法。
【請求項８】
請求項１乃至７のいずれか１項に記載の浮き床工法により構築されたことを特徴とする浮き床構造。
【発明の詳細な説明】
【技術分野】
【０００１】
本発明は、集合住宅等において上下階の床衝撃音を緩和等するための浮き床を施工する浮き床工法及び浮き床構造に関する。
【背景技術】
【０００２】
マンション等の集合住宅や病院・ホテル・学校等においては上下階の間で床衝撃音の問題が起き易く、この対策のために、床衝撃音の緩和性能の高い浮き床を設置している。従来、かかる浮き床の設置の際には、住戸内部の間仕切りを完成させた後に、グラスウールやロックウール等の緩衝材を敷設し、防水層を形成した後に、その上部にモルタルを打設している。このようにして浮き床を形成するのが一般的である。
【０００３】
下記特許文献１や下記特許文献２に開示されている浮き床工法は、独自の防振支柱部分を形成させているものの、躯体工事完了後に間仕切りを完了させ、その後に浮き床工事を行うため、湿式材料のモルタルやコンクリートを上下階のスラブも完成した狭い空間で扱うことになる。このように、これらの浮き床工法では、浮き床工事を閉鎖空間で行うため、工程上も工法上も非常に煩雑となっていた。
【０００４】
また、下記特許文献３（０００３〜０００６）で説明されているように、浮き床部分の重量増加には限界があり、性能向上にも限界があった。このため、床への積載荷重が大きく、また、大きな防振効果が要求される場合には、特許文献３の図８に示すようなコンクリート製防振浮き床が採用されているが、床の全体厚さが厚くなっていた。
【特許文献１】特開２００３−３２８５３８号公報
【特許文献２】特開平９−２２８６１３号公報
【特許文献３】特開平８−３１９７１１号公報
【発明の開示】
【発明が解決しようとする課題】
【０００５】
本発明は、上述のような従来技術の問題に鑑み、遮音性の高い浮き床層の施工の際に大幅なコストダウンと工期削減を実現可能な浮き床工法及び浮き床構造を提供することを目的とする。
【課題を解決するための手段】
【０００６】
上記目的を達成するために、本発明による浮き床工法は、デッキプレートが防振効果のある複数個の支柱を介して鉄筋コンクリートスラブ面の上方に配置された状態で前記デッキプレートの外縁部にコンクリート止め部を設置してから、前記デッキプレート上にコンクリートまたはモルタルを打設することで合成スラブによる浮き床層を形成することを特徴とする。
【０００７】
この浮き床工法によれば、複数個の支柱を介して鉄筋コンクリートスラブ面の上方に配置されたデッキプレートの外縁部にコンクリート止め部を設置してから、デッキプレート上でコンクリートまたはモルタルの打設を行うことで遮音性の高い浮き床層を形成できる。このため、浮き床層の形成のためのコンクリート・モルタルの打設は、構造体構築のときのコンクリート打設の際に行うことができる。従って、従来のように躯体工事完了後に間仕切りを完了させた後に浮き床工事を狭い閉鎖空間で行う必要はないので、大幅なコストダウンと工期削減が可能となる。
【０００８】
上記浮き床工法において前記複数個の支柱が取り付けられたデッキプレートを前記鉄筋コンクリートスラブ面の上方に配置することが好ましい。このように、防振効果のある支柱をデッキプレートに予め取り付けておき、デッキプレートを鉄筋コンクリートスラブの上方に配置することで、鉄筋コンクリートスラブ面とデッキプレートとの間に支柱を簡単かつ短時間に精度よく設置できる。
【０００９】
また、前記鉄筋コンクリートスラブをフルＰＣａ板により設置することが好ましい。これにより、現場での工数が大幅に削減できる。
【００１０】
また、前記デッキプレートが上面において凸状である山部と凹状である谷部とによる波形状を有し、前記支柱が前記デッキプレートの下面において前記山部に位置するように配置されることが好ましい。これにより、鉄筋コンクリートスラブと合成スラブとの全体高さを低く抑えることができる。
【００１１】
また、前記フルＰＣａ板を複数枚設置したときの前記フルＰＣａ板のジョイント位置と、前記合成スラブを複数枚設置したときの前記合成スラブのジョイント位置と、を上下で略同一位置にすることが好ましい。これにより、前記フルＰＣａ板のジョイント位置でコンクリートの打設を完了した後に、前記合成スラブのジョイント位置にジョイント用プレートを設置してから前記デッキプレート上でのコンクリートまたはモルタルの打設を行うことが可能となる。
【００１２】
また、大梁における戸境壁用の型枠及び外壁形成用の型枠の少なくとも一方が前記鉄筋コンクリートスラブ側から持ち出しで形成され、前記浮き床の構築後に、前記型枠により上部躯体工事を行うことができる。
【００１３】
本発明による浮き床構造は、上述の浮き床工法により構築されたことを特徴とする。この浮き床構造によれば、遮音性の高い浮き床層を有する浮き床の大幅なコストダウンを実現できる。
【発明の効果】
【００１４】
本発明の浮き床工法及び浮き床構造によれば、遮音性の高い浮き床層の施工の際に大幅なコストダウンと工期削減を実現できる。
【発明を実施するための最良の形態】
【００１５】
以下、本発明を実施するための最良の形態について図面を用いて説明する。図１は本実施の形態の浮き床工法による浮き床構造を正面から見た概略図である。図２は図１のフルＰＣａ板を複数枚設置した区画の平面図（ａ）及び図１のフルＰＣａ板の上に浮き床層を配置した区画の平面図（ｂ）である。図３は図２の梁近傍における浮き床の構造を示す正面図である。図４は図２のフルＰＣａ板とフルＰＣａ板との間のジョイント部を示す側面図である。
【００１６】
図１に示す浮き床構造は、鉛直方向の梁１と梁２との間に鉄筋コンクリートスラブとして設置されたフルＰＣａ板１１と、比較的短い円柱状に構成されフルＰＣａ板１１上に所定間隔で配置された複数の防振ゴム支柱１３と、複数の防振ゴム支柱１３を介してフルＰＣａ板１１の上方に浮き床層として配置されたデッキ合成スラブ１２と、から構成されるものである。
【００１７】
図２（ａ）、（ｂ）のように、マンションの一区画１０，１０’に複数枚のフルＰＣａ板１１を配置してから、図２（ｂ）のように、一区画１０’に水廻り領域１５を除いて複数の防振ゴム支柱１３を所定間隔で配置し、その上でデッキ合成スラブ１２を形成する。その後に、個々の部屋の間仕切りを行う。
【００１８】
なお、フルＰＣａ板は、鉄筋コンクリートスラブの１枚全部をプレキャスト（ＰＣａ）により工場で製造されるものであり、施工現場においてスラブのためのコンクリート打設が、プレキャスト板同士のジョイント部を除いて、不要である。
【００１９】
また、図１，図２のように、フルＰＣａ板１１を必要枚数敷設した一区画１０と１０’との間に図１の破線で示すように戸境壁５が位置し、水平方向（図１の紙面垂直方向）に梁部３が位置する。
【００２０】
図１，図２の浮き床施工について図３，図４を参照して説明する。図３のように、フルＰＣａ板１１上に複数の防振ゴム支柱１３が位置するようにデッキプレート２１を配置する。デッキプレート２１は、鉄鋼やステンレス鋼等からなり、図４のように山部２１ａと谷部２１ｂによる波形状に構成されている。また、図３のように、破線で示す戸境壁５の下端近傍でデッキプレート２１の外縁部にコンクリート止め部材３５が立設される。
【００２１】
図４のように、デッキプレート２１を山部２１ａに防振ゴム支柱１３が位置するようにセットすることで、床スラブ＋浮き床スラブの全体高さを出来る限り抑えることができる。また、このとき、複数の防振ゴム支柱１３を予めデッキプレート２１の山部２１ａの所定位置に接着等で取り付けておき、そのデッキプレート２１をフルＰＣａ板１１上にセットすることで、複数の防振ゴム支柱１３の配置が極めて簡単かつ短時間に精度よくできる。
【００２２】
デッキプレート２１の上に図３の破線に示すようにコンクリートを打設することで、デッキ合成スラブ１２を形成する。
【００２３】
図３のように、戸境壁５の下方において、梁２の内部に型枠支保工２６ａで支持して型枠２３を配置し、梁２の上端とフルＰＣａ板１１の下面との間に型枠支保工２６ｂで支持して型枠２４を配置する。型枠２４内に鉄筋２５が配置されている。また、戸境壁５に対応するフルＰＣａ板１１の端部には、ステンレス鋼等からなるＬ形状の戸境壁用型枠２２を配置する。
【００２４】
図３のように各部材を配置し支持してから、上述のようにデッキプレート２１の上にコンクリートを打設するとともに、戸境壁用型枠２２と２２の間から図３の矢印Ｃ方向にコンクリートを梁２の型枠２４，２３内へと打設する。
【００２５】
上述のように、浮き床構造のデッキ合成スラブ１２（浮き床層）の形成のためのコンクリート打設と、梁２内部へのコンクリート打設と、を同じ時期に施工できる。
【００２６】
また、図２（ａ）のようなフルＰＣａ板１１の長手方向端部におけるフルＰＣａ板１１と１１との間のジョイント部３０では、図４のように、ジョイント部３０に形成された凹部３０ａにコンクリートを打設し、ジョイント部３０の上部を閉鎖プレート３１で閉鎖してから、上述のようにデッキプレート２１の上に図４の破線で示すコンクリート３２を打設する。凹部３０ａへ打設したコンクリートによりフルＰＣａ板１１においてジョイント部３０で面内せん断力の伝達を確実にすることができる。
【００２７】
次に、図５乃至図１１により図１，図２の浮き床の構築手順について更に説明する。図５乃至図１１は、図３，図４の上面図であって、図３の戸境壁及び図４のジョイント部における各施工を説明するための図である。
【００２８】
図５のように各フルＰＣａ板１１を配置すると、フルＰＣａ板１１の長手方向（図５の横方向）端部におけるフルＰＣａ板１１と１１との間のジョイント部３０には、図４のように凹部３０ａが形成される。また、凹部３０ａの長手方向には凹部３０ａの縦方向幅ｗを増すように断続的に凹み３０ｂが形成されている。各フルＰＣａ板１１の縦方向端部間の戸境壁５（図１，図３）で図５の中央に梁２が位置するとともに、水平方向の梁部３が位置する。
【００２９】
次に、図６のように、ステンレス鋼等からなる図３の戸境壁用型枠２２を一対フルＰＣａ板１１の図の縦方向端部間に配置する。
【００３０】
次に、図７のように、図１〜図４の防振ゴム支柱１３が予め取り付けられた図３のデッキプレート２１を図６の各フルＰＣａ板１１の上に敷設する。このとき、フルＰＣａ板１１の長手方向端部におけるフルＰＣａ板１１のジョイント部３０及びジョイント部３０の上に位置する戸境壁用型枠２２の部分が開口した状態である。
【００３１】
次に、図８のように、デッキプレート２１の外縁部に水平方向の梁部３に沿ってＬ形状のデッキコンクリート止め部材３５を一対設置する。デッキコンクリート止め部材３５は、デッキプレート２１と同じ材料であることが好ましい。
【００３２】
次に、図９のように、図３の梁２の部分も含めて図８の梁部３及びジョイント部３０に対しコンクリート３６，３７を打設する。
【００３３】
次に、図１０のように、図９のジョイント部３０に打設したコンクリート３７の上部（図４）におけるデッキプレート２１間に閉鎖プレート３１を配置することでデッキプレート２１間の開口を閉鎖する。閉鎖プレート３１はデッキプレート２１と同じ材料であることが好ましい。
【００３４】
次に、図１１のように、図１０のデッキプレート２１上の全体にコンクリート３２（図４参照）を打設する。
【００３５】
次に、図１２を参照して、図２の外壁部近傍における浮き床の施工について説明する。図１２は、図２の外壁部の梁１の近傍における浮き床の構造を示す正面図（ａ）及び次階の型枠を建て込んだ状態を示す図（ｂ）である。
【００３６】
図１２（ａ）のように、梁１の上部においてフルＰＣａ板１１上に複数の防振ゴム支柱１３が位置するようにデッキプレート２１を配置する。このとき、図４と同様に、デッキプレート２１の山部２１ａ（図４）の所定位置に予め防振ゴム支柱１３が接着等で取り付けられたデッキプレート２１をフルＰＣａ板１１上にセットする。また、図３と同様に、図の破線で示す外壁部１ａ側にデッキプレート２１の外縁部にコンクリート止め部材３５が立設される。デッキプレート２１の上に図の破線に示すようにコンクリートを打設することで、デッキ合成スラブ１２を形成する。
【００３７】
図１２（ａ）のように、デッキ合成スラブ１２の下方において、梁１の内部に型枠支保工５６ａで支持して型枠５３を配置する。型枠５３内に鉄筋５５が配置されている。また、外壁部１ａに対応するフルＰＣａ板１１の端部には、ステンレス鋼等からなるＬ形状の戸境壁用型枠２２を配置する。
【００３８】
図１２（ａ）のように各部材を配置し支持してから、上述のようにデッキプレート２１の上にコンクリートを打設するとともに、梁１の上部から図の矢印Ｃ’方向にコンクリートを梁１の型枠５４内へと打設することで、両コンクリート打設を同じ時期に施工できる。
【００３９】
次に、図１２（ｂ）のように、デッキ合成スラブ１２の上方において外壁部１ａの施工のために、型枠５４に接続するように型枠支保工５６ａで支持して型枠５３を配置することで次階の型枠を建て込むことができる。
【００４０】
上述のように、型枠５４がフルＰＣａ板１１側から持ち出しで形成され、浮き床の構築後に型枠５４により上部躯体工事を行うことができる。
【００４１】
以上のように、本実施の形態の浮き床工法によれば、構造体の鉄筋コンクリートスラブや構造体のコンクリート打設を行う際に、同時に浮き床層のコンクリートを打設することができ、これにより、従来の浮き床構築における仕上げ間仕切り完了後に個々の部屋に浮き床工事を行う煩雑な方法を回避でき、躯体コンクリート打設時に一気に浮き床層を構築することが可能となり、工程上も工法上も非常に簡便である。このように、遮音性の高い浮き床層を構造体構築時のコンクリート打設の際に形成できるので、大幅なコストダウンと工期削減が可能となる。
【００４２】
以上のように本発明を実施するための最良の形態について説明したが、本発明はこれらに限定されるものではなく、本発明の技術的思想の範囲内で各種の変形が可能である。例えば、本浮き床工法は、マンション等の集合住宅の施工に好適であるが、これに限定されず、例えば、病院・ホテル・学校等の施工にも適用してよく、また、建築部分の躯体振動防止が必要なビル機械室床や鉄道高架下の建築物等の施工にも適用できる。
【００４３】
また、デッキコンクリート止め部材３５は、デッキ合成スラブ１２に係わらずに単なるせき板として機能するプレートや捨て型枠であってもよく、その種類を問わない。また、下部のフルＰＣａ板を、上半分を現場打設するハーフＰＣａ板で対応することや、通常型枠で現場一体打ちのスラブを構築することも可能であり、その際は、打設の翌日に連続してデッキ合成スラブを敷設し、コンクリートを打設することで、浮き床工事を完了させ、次の階の柱・壁の型枠工事に入ることが可能である。これにより、遅くとも内装間仕切り工事の前に、浮き床層を形成可能である。
【図面の簡単な説明】
【００４４】
【図１】本実施の形態の浮き床工法による浮き床の構造を正面から見た概略図である。
【図２】図１のフルＰＣａ板を複数枚設置した区画の平面図（ａ）及び図１のフルＰＣａ板の上に浮き床層を配置した区画の平面図（ｂ）である。
【図３】図２の中間の梁２の近傍における浮き床の構造を示す正面図である。
【図４】図２のフルＰＣａ板とフルＰＣａ板との間のジョイント部を示す側面図である。
【図５】図３，図４の上面図であって、フルＰＣａ板を敷設した状態を示す図である。
【図６】図３，図４の上面図であって、図５において戸境壁用型枠を配置した状態を示す図である。
【図７】図３，図４の上面図であって、図６において防振ゴム支柱付きのデッキプレートを敷設した状態を示す図である。
【図８】図３，図４の上面図であって、図７においてデッキコンクリート止めＬ形状部材を設置した状態を示す図である。
【図９】図３，図４の上面図であって、図８において梁部及びジョイント部にコンクリートを打設した状態を示す図である。
【図１０】図３，図４の上面図であって、図９において打設したコンクリートを封鎖した状態を示す図である。
【図１１】図３，図４の上面図であって、図１０においてデッキプレート上の全体にコンクリートを打設した状態を示す図である。
【図１２】図２の外壁部の梁１の近傍における浮き床の構造を示す正面図（ａ）及び次階の型枠を建て込んだ状態を示す図（ｂ）である。
【符号の説明】
【００４５】
１，２ 梁
３ 梁部
５ 戸境壁
１０，１０’ 一区画
１１ フルＰＣａ板
１２ デッキ合成スラブ
１３ 防振ゴム支柱
１５ 領域
２１ デッキプレート
２１ａ 山部
２１ｂ 谷部
２２ 戸境壁用型枠
２３，２４ 型枠
３０ ジョイント部
３１ 閉鎖プレート
３２，３６，３７ コンクリート
３５ デッキコンクリート止め部材
５３，５４ 外壁部の型枠
【図１】
2006291547.tif 000003
【図２】
2006291547.tif 000004
【図３】
2006291547.tif 000005
【図４】
2006291547.tif 000006
【図５】
2006291547.tif 000007
【図６】
2006291547.tif 000008
【図７】
2006291547.tif 000009
【図８】
2006291547.tif 000010
【図９】
2006291547.tif 000011
【図１０】
2006291547.tif 000012
【図１１】
2006291547.tif 000013
【図１２】
2006291547.tif 000014